(57)【特許請求の範囲】
【請求項１】
建物の躯体を構成する梁と、
梁の上面に支持される床と、
梁の側面に固定され該梁の上方に突出する外壁と、
によって形成されたパラペットの防水下地構造であって、
梁に、該梁に固定される固定片と該梁の側面に固定された外壁に沿って立ち上がる起立片と外壁の頂部小口面に延出される自由端片とを有するパラペット防水下地部材が配置され、
前記パラペット防水下地部材は梁の長さ方向に連続して設置され、隣接するパラペット防水下地部材の自由端片を把持部材によって挟むことにより相互に連結されており、
該把持部材は、
隣接した一対のパラペット防水下地部材の自由端片の側端部どうしで形成される略水平面の継ぎ目に覆い被さる本体部と、
前記本体部から前記梁の長さ方向と直交する方向であって且つ建物の外側に向けて突出して形成された複数の第一の掛着片と、
前記本体部の端部のうち、前記第一の掛着片とは反対側の端部に折り曲げ形成され、隣接した一対のパラペット防水下地部材の起立片の側端部どうしで形成される継ぎ目に当接する当接片と、を備えている、
ことを特徴とするパラペットの防水下地構造。
【請求項２】
各パラペット防水下地部材は、前記起立片の上端部分で且つ隣接するパラペット防水下地部材に接近した端部に開口部が形成されており、
前記把持部材は、前記当接片と同じ側に設けられ、折り曲げられて前記開口部に挿入される第二の掛着片を備えている、
ことを特徴とする請求項１に記載したパラペットの防水下地構造。
【請求項３】
建物の躯体を構成する梁と、
梁の上面に支持される床と、
梁の側面に固定され該梁の上方に突出する外壁と、
によって形成されたパラペットの防水下地構造であって、
梁に、該梁に固定される固定片と該梁の側面に固定された外壁に沿って立ち上がる起立片と外壁の頂部小口面に延出される自由端片とを有するパラペット防水下地部材を配置され、
前記パラペット防水下地部材は梁の長さ方向に連続して設置され、隣接するパラペット防水下地部材の自由端片を把持部材によって挟むことにより相互に連結されていると共に、前記起立片の上端部分で且つ隣接するパラペット防水下地部材に接近した端部に開口部が形成されており、
該把持部材は、
隣接した一対のパラペット防水下地部材の自由端片の側端部どうしで形成される略水平面の継ぎ目に覆い被さる本体部と、
前記本体部から前記梁の長さ方向と直交する方向であって且つ建物の外側に向けて突出して形成された複数の第一の掛着片と、
前記本体部の端部のうち、前記第一の掛着片とは反対側の端部に形成され、折り曲げられて前記パラペット防水下地部材の開口部に挿入される第二の掛着片と、を備えている、
ことを特徴とするパラペットの防水下地構造。
【請求項４】
前記本体部の端部のうち、前記第一の掛着片とは反対側の端部に折り曲げ形成され、隣接した一対のパラペット防水下地部材の起立片の側端部どうしで形成される継ぎ目に当接する当接片を備えている、
ことを特徴とする請求項３に記載のパラペットの防水下地構造。
【請求項５】
請求項１乃至４の何れか一項に記載したパラペットの防水下地構造が構成されており、
且つ梁の上面に支持された床からパラペット防水下地部材の起立片及び自由端片にわたって防水部材が敷設され、
且つパラペット防水下地部材の自由端片の外壁側の端部と外壁の頂部との間には水密処理され、
更に、防水部材が敷設されたパラペット防水下地部材の自由端片の上方に離隔した位置に笠木部材が配置されると共に該パラペット防水下地部材に固定されている、
ことを特徴とするパラペットの防水構造。
【発明の詳細な説明】
【技術分野】
【０００１】
本発明は、雨水などがオーバーフローする際に笠木部材の下側に形成した空間を通るように構成したパラペットに於ける防水下地構造と、防水構造とに関するものである。
【背景技術】
【０００２】
陸屋根やベランダ等の排水構造は、例えば屋上の周囲にパラペットを設けると共に、このパラペットに沿って排水溝を設け、該排水溝に接続した縦樋を介して排水するように構成されている。このような排水構造の場合、パラペットに腰壁貫通管を設けておき、排水溝や縦樋がつまったとき、或いは縦樋の排水能力を超えた降雨時の対策とするのが一般的である。しかし、このように特別な腰壁貫通管を設けた場合であっても、パラペットをオーバーフローする虞があり、このパラペットを如何にして防水するかは大きな技術的課題の一つになっている。
【０００３】
例えば、特許文献１に記載された技術は建築物周縁の防水構造に関するものであり、建築物の周縁部に於ける躯体鉄骨に支柱を突設し、その上に下地チャンネル材を配し、この下地チャンネル材の上に、建築物上面からの防水層にまたがり且つ建築物周縁を覆う防水層を設けたものである。そして、下地チャンネル材の上方で屋外側には笠木が取り付けられており、この笠木によって建築物周縁の化粧がなされている。
【０００４】
特許文献１の技術では、外壁を構成するＡＬＣ板の上端面と床面を構成するＡＬＣ板の上面とが略等しい面に配置されており、支柱は上面がＡＬＣ板の面よりも上方にあるように躯体に固定されている。そして床面の上面から支柱に取り付けられた下地チャンネル材の上面にまで防水シートが設けられている。この技術では、施工が簡単で信頼性の高い防水ができる。
【０００５】
また特許文献２に記載された技術は手摺に関するものであり、建築物の周縁部に於ける躯体鉄骨に支柱を突設し、この支柱に手摺柱脚を螺合して取り付けたものである。特に、支柱の上部には下地チャンネル材が配されており、床面の上面から下地チャンネル材の上面にまで防水シートが設けられ、支柱に取り付けた手摺支柱にはハット形防水シートが取り付けられることで連続した防水層が形成されている。また笠木は前述の特許文献１と同様にして下地チャンネル材に取り付けられている。この技術であっても、施工が簡単で信頼性の高い防水ができる。
【０００６】
【特許文献１】特開平０４−０３４１６４号公報
【特許文献２】特開平０４−０３４１６５号公報
【発明の開示】
【発明が解決しようとする課題】
【０００７】
特許文献１、２に記載された技術では、外壁を構成するＡＬＣ板の頂部と床面を構成するＡＬＣ板の上面とが略等しく設定されているため、パラペットの高さは支柱の高さで決定される。このため、支柱を横断するように防水層が形成されると共に笠木が設けられることとなり、下地チャンネル材や笠木は外壁の厚さよりも大きい寸法のものが必要となる。即ち、パラペット部分の厚さが厚くなるという問題が生じる。この問題を解決するために、外壁パネルの天端を床面よりも高くなるように設けてパラペットとし、この外壁パネルの床面よりも高い部分を利用して防水層を構成し、且つ笠木を取り付けることも行われている。しかし、この場合、外壁パネルに直接防水シートや笠木を構成する部材を固定することは好ましいことではない。
【０００８】
本発明の目的の一つは、外壁パネルの天端を床面よりも高く設けてパラペットを構成すると共に該外壁パネルに防水シートや笠木部材を直接固定することのない防水下地構造と防水構造を提供することにある。
【０００９】
また、他の目的の一つは、パラペットの天端を抑えつつ雨水をオーバーフローさせる際に有利な防水下地構造を提供することにある。更に他の目的の一つは、通り精度を向上させることができる防水下地構造を提供することにある。
【課題を解決するための手段】
【００１０】
上記課題を解決するために本発明に係るパラペットの防水下地構造は、建物の躯体を構成する梁と、梁の上面に支持される床と、梁の側面に固定され該梁の上方に突出する外壁と、によって形成されたパラペットの防水下地構造であって、梁に、該梁に固定される固定片と該梁の側面に固定された外壁に沿って立ち上がる起立片と外壁の頂部小口面に延出される自由端片とを有するパラペット防水下地部材が配置され、前記パラペット防水下地部材は梁の長さ方向に連続して設置され、隣接するパラペット防水下地部材の自由端片を把持部材によって挟むことにより相互に連結されており、該把持部材は、隣接した一対のパラペット防水下地部材の自由端片の側端部どうしで形成される略水平面の継ぎ目に覆い被さる本体部と、前記本体部から前記梁の長さ方向と直交する方向であって且つ建物の外側に向けて突出して形成された複数の第一の掛着片と、前記本体部の端部のうち、前記第一の掛着片とは反対側の端部に折り曲げ形成され、隣接した一対のパラペット防水下地部材の起立片の側端部どうしで形成される継ぎ目に当接する当接片と、を備えている。
【００１１】
上記パラペットの防水下地構造に於いて、各パラペット防水下地部材は、前記起立片の上端部分で且つ隣接するパラペット防水下地部材に接近した端部に開口部が形成されており、前記把持部材は、前記当接片と同じ側に設けられ、折り曲げられて前記開口部に挿入される第二の掛着片を備えていることが好ましい。
【００１２】
また別の形態に係るパラペットの防水下地構造は、建物の躯体を構成する梁と、梁の上面に支持される床と、梁の側面に固定され該梁の上方に突出する外壁と、によって形成されたパラペットの防水下地構造であって、梁に、該梁に固定される固定片と該梁の側面に固定された外壁に沿って立ち上がる起立片と外壁の頂部小口面に延出される自由端片とを有するパラペット防水下地部材を配置され、前記パラペット防水下地部材は梁の長さ方向に連続して設置され、隣接するパラペット防水下地部材の自由端片を把持部材によって挟むことにより相互に連結されていると共に、前記起立片の上端部分で且つ隣接するパラペット防水下地部材に接近した端部に開口部が形成されており、該把持部材は、隣接した一対のパラペット防水下地部材の自由端片の側端部どうしで形成される略水平面の継ぎ目に覆い被さる本体部と、前記本体部から前記梁の長さ方向と直交する方向であって且つ建物の外側に向けて突出して形成された複数の第一の掛着片と、前記本体部の端部のうち、前記第一の掛着片とは反対側の端部に形成され、折り曲げられて前記パラペット防水下地部材の開口部に挿入される第二の掛着片と、を備えている。また、上記パラペットの防水下地構造に於いて、前記本体部の端部のうち、前記第一の掛着片とは反対側の端部に折り曲げ形成され、隣接した一対のパラペット防水下地部材の起立片の側端部どうしで形成される継ぎ目に当接する当接片を備えていることが好ましい。
【００１３】
更に、本発明に係るパラペットの防水構造は、上記した何れかのパラペットの防水下地構造が構成されており、且つ梁の上面に支持された床からパラペット防水下地部材の起立片及び自由端片にわたって防水部材が敷設され、且つパラペット防水下地部材の自由端片の外壁側の端部と外壁の頂部との間には水密処理され、更に、防水部材が敷設されたパラペットの防水下地部材の自由端片の上方に離隔した位置に笠木部材が配置されると共に該パラペットの防水下地部材に固定されているものである。
【発明の効果】
【００１４】
本発明に係るパラペットの防水下地構造では、上面に床を支持した梁の側面に該梁の上面及び床の上方に突出する外壁を固定し、この梁の上面に、梁に固定される固定片と、外壁に沿って立ち上がる起立片と、外壁の頂部小口面に延出される自由端片と、を有するパラペット防水下地部材を配置したので、このパラペット防水下地部材（以下、「防水下地部材」という）に防水シートを施工することで、該防水シートを直接外壁に接続することなく、パラペットを防水構造とすることができる。
【００１６】
また、梁の長さ方向に、防水下地部材を連続して設置すると共に隣接する防水下地部材の自由端片を把持部材によって把持して連結することで、複数の防水下地部材の自由端片、即ち、梁から起立させた防水下地部材の先端部分を互いに拘束して梁の長さ方向の通りを合わせる（蛇行した状態を矯正して、直線性を確保する）ことができる。
【００１７】
また、本発明に係るパラペットの防水構造では、梁に上記した何れかの防水下地構造が構成されており、床の上面に敷設された防水部材が防水下地部材の起立片から自由端片にわたって敷設され、且つ自由端片と外壁の頂部小口面との間に形成された間隙は水密処理が施されることによって、パラペットの床面側から外壁の外面側にかけて連続した防水構造が構成される。このため、パラペットの上部を水がオーバーフローしても、この水が外壁から建物の内部に浸入することがない。
【００１８】
また防水下地部材の自由端片の上部に笠木部材を固定することで、笠木部材を固定するために固定具が自由端片を貫通した場合でも、外壁の頂部小口面を傷つけることがない。このため、外壁を良好な状態で保持することができ、且つパラペットを笠木によって化粧することができる。
【発明を実施するための最良の形態】
【００１９】
以下、本発明に係るパラペットの防水下地構造、及びパラペットの防水構造の好ましい実施形態について図を用いて説明する。
【実施例１】
【００２０】
先ず、パラペットの防水下地構造について図１〜図５により説明する。図１はパラペットの防水下地構造を説明する模式図であり、防水下地部材を梁に取り付けた状態を説明する図である。図２は隣接する防水下地部材を把持部材によって連結した状態を説明する模式図である。図３は防水下地構造を説明する模式図である。図４は把持部材の一例を説明する図である。図５は把持部材によって防水下地部材を連結する手順を説明する図である。
【００２１】
図１に示すパラペットの防水下地構造は、建物の躯体を構成する梁１の上フランジ１ａに屋上の床を構成する床パネル２及び断熱材１１、水勾配を持った床下地材１２（図３参照）を支持すると共に、側面に頂部小口面３ａが前記の如く構成した床の上面よりも上方に突出させて外壁を構成する外壁パネル３を固定し、且つ梁１の上フランジ１ａに、該上フランジ１ａに固定される固定片４ａと、固定片４ａから外壁パネル３に沿って起立した起立片４ｂと、起立片４ｂの上端部分から外壁パネル３の頂部小口面３ａの上方に延出した自由端片４ｃと、からなる防水下地部材４を配置して構成されている。
【００２２】
図に示すように、梁１はＨ形鋼によって構成されており、上フランジ１ａには床パネル２が支持されると共に防水下地部材４が固定されている。また下フランジ１ｂには、長尺状の山形鋼からなる外壁パネル３を取り付けるための取付部材５が固定されている。
【００２３】
本発明に於いて、床や外壁を構成する部材は特に限定するものではない。しかし、本実施例では、床及び外壁は、夫々軽量気泡コンクリート（ＡＬＣ）の床パネル２、外壁パネル３を用いて構成されている。この床パネル２、外壁パネル３としては、プレキャストコンクリート（ＰＣ）パネルであっても用いることが可能である。
【００２４】
外壁パネル３は、梁１の側面に取り付けられたとき、頂部小口面３ａが床パネル２の上面よりも上方に突出して設定されている。そして、頂部小口面３ａの高さと床パネル２の上面との高さの差から、更に、床パネル２の上面に設置される断熱材１１、水勾配を持った床下地材１２の厚さを差し引いた寸法が、パラペットの高さとして設定される。このパラペットの高さの寸法は特に限定するものではないが、床パネル２の上面に吐き出し窓等の開口持った壁面が設けられる場合、この開口の下縁の高さよりも低い高さに設定される。
【００２５】
また外壁パネル３は、その長さが１階分の階層の高さ（階高）にパラペットとしての高さを加えた寸法とすることが可能であり、また、パラペットとしての高さとしての寸法で形成された小壁用のパネルを用いることも可能である。
【００２６】
本実施例でも、外壁パネル３は階高にパラペットとしての高さを加えた寸法を有しており、下端部分が下階の梁に設けた図示しない支持金物を利用して支持されている。そして上部の所定部位が梁１の下フランジ１ｂに固定した取付部材５に当接し、図示しないボルトが該外壁パネル３を厚さ方向に貫通して取付部材５に締結することで取り付けられている。
【００２７】
梁１に対する外壁パネル３と防水下地部材４の取付順位は、防水下地部材４を梁１に取り付けた後、外壁パネル３を取り付けても良く、梁１に外壁パネル３を取り付けた後、防水下地部材４を取り付けても良い。
【００２８】
防水下地部材４は、梁１の上フランジ１ａに固定される固定片４ａと、固定片４ａから梁１の上フランジ１ａの起立方向に形成された起立片４ｂと、起立片４ｂの上端部分に形成され外壁パネル３の頂部小口面３ａの方向に延出する自由端片４ｃからなる側面視がＺ字状に形成されている。また起立片４ｂの上端部分で且つ隣接する防水下地部材４に接近した端部には、後述する把持部材の差込片を差し込むための開口部４ｄが形成されている。
【００２９】
この防水下地部材４の梁１の長手方向に沿った寸法は特に限定するものではない。しかし、外壁パネル３の幅寸法と同じ寸法を有していることが好ましい。また材質も特に限定するものではないが、自由端片４ｃには笠木ブラケットを介して笠木部材が取り付けられることから、適度な剛性を持った材質、特に鋼板を折り曲げて成形したものであることが好ましい。
【００３０】
また防水下地部材４の各片４ａ〜４ｃの各寸法は特に限定するものではない。しかし、固定片４ａの延出寸法は、梁１の上フランジ１ａ面の幅寸法に応じて形成され、起立片４ｂの起立高さの寸法は、防水下地部材４を梁１の上フランジ１ａ面に固定したとき、自由端片４ｃの下面と外壁パネル３の頂部小口面３ａとの間に所定の間隙を形成し得るように設定されている。また、自由端片４ｃの延出寸法は、外壁パネル３の厚さと略等しいか、やや小さくなるように形成されている。
【００３１】
上記の如く構成された防水下地部材４は、梁１の長さ方向に連続して配置されると共に上フランジ１ａに固定される。上フランジ１ａに固定された複数の防水下地部材４は、夫々が独立しているため、梁１に沿った通りにばらつきが生じる。このため、隣接する防水下地部材４を把持部材７によって互いに連結している。
【００３２】
図２に示すように、把持部材７は、梁１の長さ方向に沿って梁１に連続して固定された防水下地部材４であって互いに隣接した一対の防水下地部材４の側端部どうしで形成される継ぎ目にまたがって、一対の防水下地部材４の自由端４Ｃ側の部分に於いて前記梁１の長さ方向の端部（側端部）どうしを挟み、把むようにして、隣接した防水下地部材４どうしを固定することで、複数の独立した防水下地部材４を互いに連続させて通りを合わせることを可能とするものである。このため、把持部材７は、作業員が容易に折り曲げることが可能な程度の薄い金属板、例えば鋼板、によって構成されており、互いに隣接して梁１に固定された防水下地部材４の自由端片４ｃと起立片４ｂを把持し得るように構成されている。
【００３３】
把持部材７は、図４に示すように、平面視が略矩形であり、側面視がＬ字状に形成されている。そして、防水下地部材４の自由端片４ｃの延出寸法と略等しい長さを持ち、隣接した一対の防水下地部材４の自由端４ｃの側端部どうしで形成される略水平面の継ぎ目に梁１の上方向から覆い被さる本体部７ａと、本体部７ａの梁１の長さ方向と直交する方向の端部（建物の外側）から突出して形成された複数の第一の掛着片（折り曲げて係止する片）７ｂと、本体部７ａに於ける第一の掛着片７ｂの反対側の端部（建物の内側）に９０度折り曲げて形成され、隣接した一対の防水下地部材４の起立片４ｂの側端部どうしで形成される継ぎ目に当接する当接片７ｃと、当接片７ｃの梁１の長さ方向の両側に形成され、作業者が折り曲げ可能な長さを有する第二の掛着片７ｄと、を有して形成されている。尚、本体部７ａの略中央には開口部７ｅが形成されており、この開口部７ｅは、例えばパラペットに手摺を設けるような場合、該手摺を支持するために梁の長さ方向に等間隔で設ける支柱部材を貫通させるためのものである。
【００３４】
次に、図５を用いて上記の如く構成された把持部材７によって隣接する一対の防水下地部材４を把持する手順を説明する。先ず、同図（ａ）に示すように、隣接する一対の防水下地部材４の梁１に沿った通りを合わせ、把持部材７の本体部７ａを一対の防水下地部材４夫々の自由端片４ｃにて形成される略水平面の継ぎ目に梁１の上方向から覆い被せるように跨らせて面着させる。
【００３５】
次に、同図（ｂ）、（ｃ）に示すように、当接片７ｃを夫々の起立片４ｂで形成される立上がり面に押し当てて面着させる。このとき、第二の掛着片７ｄは防水下地部材４に形成されている開口部４ｄに対向している。
【００３６】
次に、同図（ｄ）に示すように、第二の掛着片７ｄを折り曲げて開口部４ｄに挿入し、自由端片４ｃの建物内側の端部を回し込んで自由端片４ｃの裏面側に引っかけるようにして元の状態から略９０度屈曲させる。同様に第一の掛着片７ｂを元の状態から略１８０度折り曲げて自由端片４ｃの建物外側の端部を回し込んで自由端片４ｃの表面から裏面を包み込むように屈曲させる。
【００３７】
上記の如くして連続して梁１に設置される複数の防水下地部材４が把持部材７を介して互いに一体化されることとなり、梁１の長さ方向に対して蛇行しやすい防水下地部材４の自由端片４ｃ側の直線性を確保すること（梁１の長さ方向に沿っていわゆる通りを合わせる）ことが可能となり、且つ何れかの防水下地部材４に集中して力が作用したような場合でも、この力を隣接した他の防水下地部材４に伝えて負担させることが可能となる。
【００３８】
尚、梁１のフランジ１ａ面に固定される前述した支柱部材（フラットバー）が固定されている場合には、最初にこの把持部材７の開口部７ｅを支柱部材に貫通させて、その後、前述と同じ手順で作業することによって、把持部材７を介して隣接する防水下地部材４を連結することが可能である。
【００３９】
上記の如くして梁１に沿って複数の防水下地部材４を固定すると共に把持部材７を介して連結したとき、図３に示すように、防水下地部材４の自由端片４ｃと外壁パネル３の頭部小口面３ａとの間には所定の寸法を持った間隙９が形成される。そして、前記間隙９が形成されることによって、自由端片４ｃに笠木部材を取り付けるための金物類をビスによって固定する際に、該ビスによる外壁パネル３に対する損傷を防ぐことが可能となる。
【００４０】
上記防水下地構造では、外壁パネル３の屋内側の面に沿って防水下地部材４が連続して配置されるため、床面に敷設する部材となる防水鋼板や防水シートを立ち上げる際には、起立片４ｂから自由端片４ｃに沿って施工することが可能となる。このため、外壁パネル３に直接防水部材を接触させることなく防水層を施工することが可能となる。
【００４１】
また外壁パネル３の頂部小口面３ａの上方に笠木部材を設置する場合にも、下地となる金物類を自由端片４ｃに固定することが可能であり、直接外壁パネル３に固定する必要がなく、従って、外壁パネル３に損傷を与えることがない。
【実施例２】
【００４２】
次に、パラペットの防水構造について図を用いて説明する。図６はパラペットの防水構造を説明する断面図である。尚、図に於いて、防水下地構造は前述の実施例を利用しており、同一の符号を用いて説明を省略する。
【００４３】
本実施例に於いて、外壁パネル３は目的のパラペットの高さに対応した高さ寸法を有しており、階高と同じ寸法を持った外壁パネルの上方に配置されて図示しないボルトによって防水下地部材４の起立片４ｂに取り付けられている。
【００４４】
梁１の上フランジ１ａに支持された床パネル２と防水下地部材４との間の空間には、床パネル２の上面と同じレベルまでモルタル１０が打設されている。そして床パネル２からモルタル１０の上部には断熱材１１が施工され、更に、水勾配を持った床下地材１２が施工されている。
【００４５】
下地材１２の上面から防水下地部材４の起立片４ｂ、自由端片４ｃにわたって防水部材となる防水鋼板１３が配置されている。この防水鋼板１３は、予め工場などで防水シートや防水塗料を施されたパラペット壁の立ち上がる部位に設置される防水部材である。そして、ベランダ床面や屋上の屋根面に敷設する防水シートと熱融着、または溶着することにより連続した防水層を形成することができ、高い防水性能を発揮することが可能である。
【００４６】
防水鋼板１３は、一方の端部１３ａ側が床面の形状と同じ形状（本実施例では排水用のＬ字（逆への字）状の溝形状）に形成されており、該端部から防水下地部材４の起立片４ｂに沿った起立部１３ｂが形成され、更に、自由端片４ｃに沿って延出部１３ｃが形成され、該延出部１３ｃの先端側に下地部１３ｄが形成されている。
【００４７】
上記した起立部１３ｂは、下地材１２の上面と防水下地部材４の起立片４ｂから自由端片４ｃに至る部分の寸法と略等しい寸法を有しており、延出部１３ｃは外壁パネル３の厚さと略等しい寸法を有している。特に、延出部１３ｃの先端部分に形成された下地部１３ｄは、外壁パネル３の頂部小口面３ａとの間にシーリング材１５を充填する際に下地機能を発揮するものであり、外壁パネル３の外面と対応する部位から略Ｖ字状に折り曲げられると共に先端部分が頂部小口面３ａと可及的に接近し得るように構成されている。
【００４８】
そして、外壁パネル３の頂部小口面３ａと防水鋼板１３とで構成された隙間にシーリング材１５を充填することで、防水下地部材４の自由端片４ｃと頂部小口面３ａとの間に形成された間隙の開放部分を止水処理し、これにより、梁１に沿って配置されると共に該梁１の側面に取り付けられた外壁パネル３と、防水下地部材４と、からなるパラペット部分の防水処理がなされている。
【００４９】
防水下地部材４の自由端片４ｃの上部には、笠木受けブラケット２２を取り付けるための下地金物２０が所定の間隔を持って配置されている。即ち、防水鋼板１３の防水下地部材４の自由端片４ｃの上部に対応する部位には下地金物２０の底片よりも大きい寸法を持った防水パット１４が配置されており、該防水パット１４に下地金物２０が載置されてタッピングビス２１ａによって自由端片４ｃに固定されている。
【００５０】
特に、タッピングビス２１ａが自由端片４ｃに上部に設けた防水鋼板１３、防水パット１４を貫通して螺合されることから、該タッピングビス２１ａにはパッキン２１ｂが設けられており、該パッキン２１ｂと防水パット１４とによって、タッピングビス２１ａの周辺の防水処理が施されている。
【００５１】
またタッピングビス２１ａの長さは、防水下地部材４の自由端片４ｃと外壁パネル３の頂部小口面３ａとの間に形成された間隙９の寸法を考慮して設定されており、該タッピングビス２１ａの先端部が外壁パネル３の頂部小口面３ａに干渉することがない。
【００５２】
下地金物２０はピース状の金物からなり、底片を利用してタッピングビス２１ａによって防水下地部材４の自由端片４ｃに固定され、上片を利用して笠木受けブラケット２２が固定される。この下地金物２０は、前記機能を発揮し得るものであれば特に形状や寸法を限定するものではない。本実施例では、外壁パネル３の厚さ方向に貫通した穴を有する形状を持って構成されている。
【００５３】
下地金物２０の上部に笠木受けブラケット２２が取り付けられている。この笠木受けブラケット２２は、ピース状の金物として構成されている。特に、笠木受けブラケット２２には長穴２２ａが形成されており、該長穴２２ａにビス２３を貫通させて下地金物２０に締結することによって、出入り寸法を調節し得るように構成されている。従って、防水下地部材４の自由端片４ｃに取り付けた下地金物２０の梁１に沿った方向の通りにばらつきが生じていても、このばらつきを調整することが可能である。
【００５４】
笠木部材２５は長尺状の成形部材として構成されており、笠木受けブラケット２２に嵌め込まれたとき、外壁パネル３の上部（パラペットの上部）を覆って化粧する機能を有している。このため、笠木部材２５及び笠木受けブラケット２２は、目的の建物の意匠を考慮して形状や寸法が設定される。
【００５５】
特に、本実施例では、笠木受けブラケット２２と笠木部材２５は、笠木受けブラケット２２に笠木部材２５を上方から嵌め込んだとき、笠木部材２５の屋外側の化粧片２５ａが少なくとも充填されているシーリング材１５の一部を覆うことが可能で且つシーリング材１５との間に隙間２６ａを形成することが可能な形状を有し、また笠木部材２５の屋内側の化粧片２５ｂが防水鋼板１３の上部を覆うことが可能で且つ防水鋼板１３との間に隙間２６ｂを形成することが可能な形状を有している。
【００５６】
従って、笠木受けブラケット２２に笠木部材２５を嵌め込んだとき、笠木部材２５と防水下地部材４の自由端片４ｃの上部に設けた防水鋼板１３との間に、隙間２６ａ、２６ｂを含む連通した空間２６が形成され、この空間２６が雨水のオーバーフローする際の通路として機能することになる。
【００５７】
上記の如く構成されたパラペットの防水構造では、外壁パネル３の頂部小口面３ａの上方に配置された防水下地部材４の自由端片４ｃに笠木受けブラケット２２を介して笠木部材２５を取り付けたとき、自由端片４ｃの上部に配置された防水鋼板１３と笠木部材２５との間に空間２６を構成することが可能となる。このため、雨水が床側の排水能力以上降ったような場合、オーバーフローする水は防水鋼板１３と笠木部材２５との間の空間２６を通過して笠木部材２５の表面が汚れることがない。
【００５８】
特に、下地金物２０を外壁パネル３ではなく自由端片４ｃに固定することが可能となり、確実な固定を実現することが可能となる。また下地金物２０をタッピングビス２１ａによって固定する際に、該タッピングビス２１ａが外壁パネル３の頂部小口面３ａに損傷を与えることがなく、長期間にわたって外壁パネル３の強度を保証することが可能である。
【産業上の利用可能性】
【００５９】
本発明に係るパラペットの防水下地構造、及びパラペットの防水構造は、陸屋根や屋上の周囲に構成するパラペットに利用することが可能である。
【図面の簡単な説明】
【００６０】
【図１】パラペットの防水下地構造を説明する模式図であり、防水下地部材を梁に取り付けた状態を説明する図である。
【図２】隣接する防水下地部材を把持部材によって連結した状態を説明する模式図である。
【図３】防水下地構造を説明する模式図である。
【図４】把持部材の一例を説明する図である。
【図５】把持部材によって防水下地部材を連結する手順を説明する図である。
【図６】パラペットの防水構造を説明する断面図である。
【符号の説明】
【００６１】
１                        梁
１ａ                      上フランジ
１ｂ                      下フランジ
２                        床パネル
３                        外壁パネル
３ａ                      頂部小口面
４                        防水下地部材
４ａ                      固定片
４ｂ                      起立片
４ｃ                      自由端片
４ｄ                      開口
５                        取付部材
７                        把持部材
７ａ                      本体部
７ｂ                      第一の掛着片
７ｃ                      当接片
７ｄ                      第二の掛着片
７ｅ                      開口部
９                        間隙
１０                      モルタル
１１                      断熱材
１２                      床下地材
１３                      防水鋼板
１３ａ                    端部
１３ｂ                    起立部
１３ｃ                    延出部
１３ｄ                    下地部
１４                      防水パット
１５                      シーリング材
２０                      下地金物
２１ａ                    タッピングビス
２１ｂ                    パッキン
２２                      笠木受けブラケット
２２ａ                    長穴
２３                      ビス
２５                      笠木部材
２５ａ、２５ｂ            化粧片
２６                      空間
２６ａ、２６ｂ            隙間
【図１】
0005085253.tif 000002
【図２】
0005085253.tif 000003
【図３】
0005085253.tif 000004
【図４】
0005085253.tif 000005
【図５】
0005085253.tif 000006
【図６】
0005085253.tif 000007